(57)【特許請求の範囲】
【請求項１】
新しい内容をロードするために、現在の表示ページをプルダウン又はプルアップする操作がユーザにより端末になされることでトリガーされるトリガーイベントを前記端末が取得するステップと、
前記端末が、前記新しい内容をロードする現在の表示ページに、空白のロード領域があるか否かを検出するステップと、
前記端末が、現在の表示ページに空白のロード領域がある場合、プッシュメッセージを前記空白のロード領域に表示するステップとを含むことを特徴とする端末がプッシュメッセージを表示する方法。
【請求項２】
前記プッシュメッセージは、
リアルタイム又は定時的に受信する、サーバから送信されてくるプッシュメッセージであり、
又は、
ローカル端末に予め記憶しておいたプッシュメッセージであることを特徴とする請求項１に記載のプッシュメッセージを表示する方法。
【請求項３】
更に、前記端末は、サーバから送信されてくるプッシュメッセージに、ユーザが予約購読した情報があるか否かを判断し、そうである場合、前記ユーザが予約購読した情報を前記空白のロード領域に表示するプッシュメッセージとするステップを含むことを特徴とする請求項２に記載のプッシュメッセージを表示する方法。
【請求項４】
更に、現在の表示ページに空白のロード領域がある場合、
前記端末が、サーバに、プッシュメッセージを取得する要求を送信するステップと、
サーバから送信された前記プッシュメッセージを前記端末が受信するステップとを含むことを特徴とする請求項１に記載のプッシュメッセージを表示する方法。
【請求項５】
更に、前記端末は、プッシュメッセージを前記空白のロード領域に表示する場合、空白のロード領域に前記プッシュメッセージのリンクを確立するステップを含むことを特徴とする請求項１に記載のプッシュメッセージを表示する方法。
【請求項６】
更に、前記端末は、前記リンクがトリガーされたと検出された場合、前記リンクに対応するアプリケーションプログラム又はページへジャンプするステップを含むことを特徴とする請求項５に記載のプッシュメッセージを表示する方法。
【請求項７】
更に、前記端末は、プッシュメッセージを前記空白のロード領域に表示する前に、新しい内容をロードする時間を計算し、
前記時間が予め設定した値以上である場合、プッシュメッセージを空白のロード領域に表示するステップを実行するステップとを含むことを特徴とする請求項１に記載のプッシュメッセージを表示する方法。
【請求項８】
新しい内容をロードするために、現在の表示ページをプルダウン又はプルアップする操作がユーザにより端末になされることでトリガーされるトリガーイベントを取得するトリガーイベント取得モジュールと、
前記トリガーイベント取得モジュールが前記トリガーイベントを取得した後、前記新しい内容をロードする現在の表示ページに、空白のロード領域があるか否かを検出する検出モジュールと、
現在の表示ページに空白のロード領域がある場合、プッシュメッセージを前記空白のロード領域に表示する処理モジュールとを含むことを特徴とするプッシュメッセージを表示する装置。
【請求項９】
前記処理モジュールは、リアルタイム又は定時的に受信したサーバから送信されてくるプッシュメッセージを前記プッシュメッセージとし、又は、ローカル端末に予め記憶しておいたプッシュメッセージを前記プッシュメッセージとすることを特徴とする請求項８に記載のプッシュメッセージを表示する装置。
【請求項１０】
更に、前記処理モジュールは、サーバから送信されてくるプッシュメッセージにユーザが予約購読した情報があるか否かを判断し、そうである場合、前記ユーザが予約購読した情報を、前記空白のロード領域に表示するプッシュメッセージとすることを特徴とする請求項９に記載のプッシュメッセージを表示する装置。
【請求項１１】
更に、前記処理モジュールは、現在の表示ページに空白のロード領域がある場合、サーバにプッシュメッセージを取得する要求を送信し、サーバから送信される前記プッシュメッセージを受信することを特徴とする請求項８に記載のプッシュメッセージを表示する装置。
【請求項１２】
更に、前記処理モジュールは、プッシュメッセージを前記空白のロード領域に表示する場合、空白のロード領域に前記プッシュメッセージのリンクを確立することを特徴とする請求項８に記載のプッシュメッセージを表示する装置。
【請求項１３】
更に、前記処理モジュールは、前記リンクがトリガーされたと検出した場合、前記リンクに対応するアプリケーションプログラム又はページへジャンプすることを特徴とする請求項１２に記載のプッシュメッセージを表示する装置。
【請求項１４】
更に、前記処理モジュールは、新しい内容をロードする時間を計算し、前記時間が予め設定した値以上である場合、プッシュメッセージを前記空白のロード領域に表示する操作を実行することを特徴とする請求項８に記載のプッシュメッセージを表示する装置。
【請求項１５】
プロセッサに実行されることにより、請求項１から請求項７のいずれかに記載のプッシュメッセージを表示する方法を実現する記録媒体に記録されたプログラム。
【請求項１６】
請求項１５に記載のプログラムが記録された記録媒体。
【発明の詳細な説明】
【相互参照】
【０００１】
本願は出願番号がＣＮ２０１２１０４２９４５８．Ｘであり、出願日が２０１２年１０月３１日である中国特許出願に基づき優先権を主張し、当該中国特許出願の全ての内容を本願に援用する。
【技術分野】
【０００２】
本発明は通信技術分野に関わり、特にプッシュメッセージを表示する方法、装置、プログラム及び記録媒体に関わる。
【背景技術】
【０００３】
ネットワークの絶え間ない発展とネットワーク機能を有する端末製品の広範囲の流行に伴って、人々は益々ネットワーク機能を有する端末を使って大量の情報を取得するようになってきた。例えば、ブラウザを通じてＵＲＬを訪問してニュースを取得し、専用のアプリケーションクライアント端末を通じてネットワーク側から天気情報等を取得する。
【０００４】
ユーザが端末から異なるタイプの情報を閲覧するためには、端末上の対応するアプリケーションプログラムをトリガーしないと実現されないことが分かる。ユーザが大量の異なるタイプの情報を取得したい場合、煩雑な操作を実行する必要がある。
【０００５】
上述の問題に対し、能動的に端末に各種異なるタイプの情報をプッシュメッセージすることができれば、ユーザの操作を簡略化できるが、現在の端末にはこのようなプッシュメッセージを表示するための空間がない。
【発明の概要】
【０００６】
これに鑑み、本発明は、端末にプッシュメッセージを表示できるように、プッシュメッセージを表示する方法、装置、プログラム及び記録媒体を提供し、これによりユーザは煩雑な操作を実行しなくても各種情報を得ることができるようになり、ユーザの操作を簡略化することを目的とする。
【０００７】
上述の目的を果たすために本発明が提供するプッシュメッセージを表示する方法は、
新しい内容をロードするためのトリガーイベントを取得するステップと、
前記新しい内容をロードする現在の表示ページに、空白のロード領域があるか否かを検出するステップと、
現在の表示ページに空白のロード領域がある場合、プッシュメッセージを前記空白のロード領域に表示するステップとを含む。
【０００８】
本発明は、端末が情報をロードするときに表示ページの空白のロード領域を利用してプッシュメッセージを表示する。これにより、端末の表示資源を十分に利用し、ユーザが煩雑な操作を実行しなくても各種の情報を得ることができ、ユーザの操作を簡略化した。
【０００９】
また、本発明において、好ましい実施形態として、前記プッシュメッセージは、
リアルタイム又は定時的に受信する、サーバから送信されてくるプッシュメッセージであり、
又は、
ローカル端末に予め記憶しておいたプッシュメッセージである。
【００１０】
また、本実施形態はサーバから送信されてくるプッシュメッセージを定時的又はリアルタイムに取得することができ、プッシュメッセージをローカルに予め記憶しておくこともでき、プッシュメッセージの取得が更に弾力的になった。
【００１１】
また、本発明において、好ましい実施形態として、前記方法は、更に、サーバから送信されてくるプッシュメッセージに、ユーザが予約購読した情報があるか否かを判断し、そうである場合、前記ユーザが予約購読した情報を前記空白のロード領域に表示するプッシュメッセージとするステップを含む。
【００１２】
また、本実施形態はユーザの予約購読に基づいて、表示しようとするプッシュメッセージを選択し、更にカスタマイズ化した。
【００１３】
また、本発明において、好ましい実施形態として、更に、現在の表示ページに空白のロード領域がある場合、前記方法は、
サーバに、プッシュメッセージを取得する要求を送信するステップと、
サーバから送信された前記プッシュメッセージを受信するステップとを含む。
【００１４】
また、本実施形態は、空白のロード領域を検出した後に、リアルタイムにプッシュメッセージを取得する方法を提供した。
【００１５】
また、本発明において、好ましい実施形態として、更に、プッシュメッセージを前記空白のロード領域に表示する場合、前記方法は、空白のロード領域に前記プッシュメッセージのリンクを確立するステップを含む。また、前記リンクがトリガーされたと検出された場合、前記リンクに対応するアプリケーションプログラム又はページへジャンプする。本実施形態はユーザのために更なる利便性を提供した。
【００１６】
また、本発明において、好ましい実施形態として、更に、プッシュメッセージを前記空白のロード領域に表示する前に、前記方法は、新しい内容をロードする時間を計算し、
前記時間が予め設定した値の以上である場合、プッシュメッセージを空白のロード領域に表示するステップを実行するステップとを含む。
【００１７】
本実施形態では、新しい内容をロードする時間を計算して、予め設定した値の以上である場合のみ、プッシュメッセージが表示されるステップを追加して、プッシュメッセージの表示をより合理化するようにした。
【００１８】
また、対応して、本発明の実施例は更にプッシュメッセージを表示する装置を提供する。当該装置は、
新しい内容をロードするためのトリガーイベントを取得するトリガーイベント取得モジュールと、
前記トリガーイベント取得モジュールが前記トリガーイベントを取得した後、前記新しい内容をロードする現在の表示画面に、空白のロード領域があるか否かを検出する検出モジュールと、
現在の表示ページに空白のロード領域がある場合、プッシュメッセージを前記空白のロード領域に表示する処理モジュールとを含む。
【００１９】
また、本発明において、好ましい実施形態として前記処理モジュールは、リアルタイム又は定時的に受信したサーバから送信されてくるプッシュメッセージを前記プッシュメッセージとし、又は、ローカル端末に予め記憶しておいたプッシュメッセージを前記プッシュメッセージとする。
【００２０】
また、本発明において、好ましい実施形態として、更に、前記処理モジュールは、サーバから送信されてくるプッシュメッセージにユーザが予約購読した情報があるか否かを判断し、そうである場合、前記ユーザが予約購読した情報を、前記空白のロード領域に表示するプッシュメッセージとする。
【００２１】
また、本発明において、好ましい実施形態として、更に、前記処理モジュールは、現在の表示ページに空白のロード領域がある場合、サーバにプッシュメッセージを取得する要求を送信し、サーバから送信される前記プッシュメッセージを受信する。
【００２２】
また、本発明において、好ましい実施形態として、更に、前記処理モジュールは、プッシュメッセージを前記空白のロード領域に表示する場合、空白のロード領域に前記プッシュメッセージのリンクを確立する。
【００２３】
また、本発明において、好ましい実施形態として、更に、前記処理モジュールは、前記リンクがトリガーされたと検出した場合、前記リンクに対応するアプリケーションプログラム又はページへジャンプする。
【００２４】
また、本発明において、好ましい実施形態として、更に、前記処理モジュールは、新しい内容をロードする時間を計算し、前記の時間が予め設定した値の以上である場合、プッシュメッセージを前記空白のロード領域に表示する操作を実行する。
【００２５】
本発明の実施例は、更に、プロセッサに実行されることにより、前記プッシュメッセージを表示する方法を実現する、記録媒体に記録されたプログラムを提供する。
【００２６】
本発明の実施例は、更に、前記プログラムが記録された記録媒体を提供する。
【００２７】
本発明のその他の特徴及びメリットは以下の明細書にて詳しく述べる。また、その一部分は明細書によって明白になり、又は本発明を実施することで理解できる。本発明の目的及びその他のメリットは、明細書、特許請求の範囲、及び、図面において特に指摘された構造を通じて実現され、取得される。
【００２８】
また、以上の一般的な説明及び以下の詳細な説明は単なる例示に過ぎず、本発明を限定するものではないことを理解すべきである。
【００２９】
以下に図面と実施例を合わせて、本発明の技術方案に対して更なる詳細な説明を行う。
【図面の簡単な説明】
【００３０】
図面は本発明の更なる理解に資するためのものであり、また本明細書の一部分を構成し、本発明を限定するものではない。図面において、
【００３１】
【図１】図１は本発明が提供するプッシュメッセージを表示する方法の例示的なフローチャートである。
【００３２】
【図２】図２は本発明の一つの実施例が提供するプッシュメッセージを表示する方法の例示的なフローチャートである。
【００３３】
【図３】図３は本発明の他の一つの実施例が提供するプッシュメッセージを表示する方法の例示的なフローチャートである。
【００３４】
【図４】図４は本発明の他の一つの実施例が提供するプッシュメッセージを表示する方法の例示的なフローチャートである。
【００３５】
【図５】図５は本発明の他の実施例が提供するプッシュメッセージを表示する方法の例示的なフローチャートである。
【００３６】
【図６】図６は本発明の他の実施例が提供するプッシュメッセージを表示する方法の例示的なフローチャートである。
【００３７】
【図７】図７は本発明が提供するプッシュメッセージを表示する装置の説明図である。
【００３８】
本発明について、上記図面で明確の実施例を示し、後述でより詳細に説明する。これらの図面及び記述は、何らかの方法で本発明の思想の範囲を制限するのではなく、特定な実施例を参照することで当業者に本発明のコンセプトを説明するためのものである。
【発明を実施するための形態】
【００３９】
以下では、図面と合わせて本発明の実施例に対し説明を行う。ここで説明する実施例は本発明の説明と解釈に用いられるだけで、本発明を限定するためのものではないことを理解すべきである。
【００４０】
ユーザが、タッチスクリーンをサポートする携帯電話、タブレットＰＣ等の端末で、ネットワーク機能を有するアプリケーションプログラムを開き、アプリケーションプログラムの内容を更新する必要がある場合、指で現在のインタフェースを下方へ動かすことで更新を行い、即ち新しい内容をロードする。これにより、ユーザの更新操作の利便性を大幅に高めた。
【００４１】
現在の端末において、プルダウン更新方法を採用する場合、端末が表示する現在のインタフェースは指の動きと一緒に下方へ移動する。これにより上方には新しい内容をロードできる領域ができ、端末がサーバから、ユーザが要求する新しい内容をダウンロードした場合、新しい内容を該空白のロード領域に表示する。また、新しい内容のダウンロードが完成する前に、ロード領域は空白である。
【００４２】
本発明はまさに上述の空白のロード領域を利用して、ユーザ端末に対するプッシュメッセージを表示する。
【００４３】
図１に示すように、本発明が提供するプッシュメッセージを表示する方法は以下のステップを含む。
ステップＳ１１において、新しい内容をロードするためのトリガーイベントを取得し、
ステップＳ１２において、前記新しい内容をロードする現在の表示ページに、空白のロード領域があるか否かを検出し、
ステップＳ１３において、現在の表示ページに空白のロード領域がある場合、プッシュメッセージを前記空白のロード領域に表示する。
【００４４】
本発明は、端末が新しい内容をロードするときに表示ページの空白のロード領域を利用してプッシュメッセージを表示する。これにより、端末の表示資源を十分に利用し、ユーザが煩雑な操作を実行しなくても容易に各種の情報を得ることができ、ユーザの操作を簡略化した。プッシュメッセージは、商品の紹介でも、天気情報でも、又は、その他の内容であってもよい。このような表示は、ユーザの操作の利便性及びスムーズ性に影響を及ぼさない前提の下、限りあるデバイスの表示面積を十分に利用して、ユーザのために各種内容をしっかりと表示する。
【００４５】
以下では、その他の具体的な実施例を通じて、本発明が提供するプッシュメッセージを表示する方法について詳細な説明を行う。
実施例１
【００４６】
図２に示すように、サーバからプッシュメッセージを予め取得することを例として、本発明が提供するプッシュメッセージを表示する方法を説明したもので、該実施例は、サーバから送信されてくるプッシュメッセージを受信するという、予め実行するステップを含むことができる。
該ステップは定時的に実行されても、又は携帯電話がネットワークに接続する時に実行されるように設定してもよい。
【００４７】
更に、ユーザが設定した予約購読情報に基づいて、サーバが能動的に送信したプッシュメッセージを選別する。例えば、プッシュメッセージにユーザが予約購読した情報があるか否かを判断し、予約購読した情報がある場合、プッシュメッセージの中のユーザが予約購読した情報を記憶し、予め取得したプッシュメッセージとする。
【００４８】
新しい内容をロードするイベントがトリガーされた場合、本発明が提供するプッシュメッセージする方法は以下のステップを含む。
ステップＳ２１において、新しい内容をロードするためのトリガーイベントを取得する。
【００４９】
現在、新しい内容をロードするためのトリガーイベントは、一般的に、ユーザが現在の表示ページをプルダウン又はプルアップする操作であり、これによって新しい内容をロードする。また、当該トリガーイベントは、ユーザが新しい内容を取得するボタンをクリックすることであっても、ひいてはあるアプリケーションプログラムを運行する際に自動的に新しい内容をロードすることであってもよい。
【００５０】
ステップＳ２２において、前記新しい内容をロードする現在の表示ページに、空白のロード領域があるか否かを検出し、そうである場合、ステップＳ２３を実行する。
【００５１】
ステップＳ２３において、サーバから予め取得したプッシュメッセージを空白のロード領域に表示する。
実施例２
【００５２】
図３に示すように、該実施例は、端末にプッシュメッセージを予め設定することを例として、本発明が提供するプッシュメッセージを表示する方法を説明したものである。該実施例は、以下のような予め実行するステップを含むことができる。即ち、ユーザの設定又は端末通信事業者の設定に基づいて、端末にプッシュメッセージを予め記憶するステップを含むことができる。
【００５３】
新しい内容をロードするイベントがトリガーされた場合、本発明が提供する、プッシュメッセージする方法は以下のステップを含む。
ステップＳ３１において、新しい内容をロードするためのトリガーイベントを取得する。
ステップＳ３２において、前記新しい内容をロードする現在の表示ページに、空白のロード領域があるか否かを検出し、そうである場合、ステップＳ３３を実行する。
ステップＳ３３において、端末に予め記憶したプッシュメッセージを空白のロード領域に表示する。
【００５４】
本実施例が提供するプッシュメッセージの方法はサーバと通信する必要がない。
実施例３
【００５５】
図４に示すように、端末がリアルタイムにサーバに向けプッシュメッセージを要求することを例として、本発明が提供するプッシュメッセージを表示する方法を説明したもので、該実施例は以下のようなステップを含む。
ステップＳ４１において、新しい内容をロードするためのトリガーイベントを取得する。
ステップＳ４２において、前記新しい内容をロードする現在の表示ページに、空白のロード領域があるか否かを検出し、そうである場合、ステップＳ４３を実行する。
ステップＳ４３において、サーバに、プッシュメッセージを取得する要求を送信する。
【００５６】
好ましく、サーバが予約購読情報に基づいて相応のプッシュメッセージを送信するように、該要求にユーザの予約購読情報が含まれるか、又は、サーバが、予めサーバに記憶されたユーザの情報に基づいてユーザに相応のプッシュメッセージを送信することができる。
【００５７】
ステップＳ４４において、サーバから送信されてくるプッシュメッセージを受信する。
【００５８】
ステップＳ４５において、プッシュメッセージを空白のロード領域に表示する。
実施例４
【００５９】
図５に示すように、本発明が提供するプッシュメッセージを表示する方法は、プッシュメッセージを空白のロード領域に表示するだけでなく、ひいてはプッシュメッセージのためにリンクを確立し、以下のようなステップを含む。
ステップＳ５１において、新しい内容をロードするためのトリガーイベントを取得する。
ステップＳ５２において、前記新しい内容をロードする現在の表示ページに、空白のロードド領域があるか否かを検出し、そうである場合、ステップＳ５３を実行し、そうではない場合、終了する。
ステップＳ５３において、プッシュメッセージを空白のロード領域に表示し、ひいては空白のロード領域に表示されるプッシュメッセージのためにリンクを確立する。
ステップＳ５４において、前記リンクがトリガーされたと検出された場合、該リンクに対応するアプリケーションプログラム又はページへジャンプする。
【００６０】
例えば、プッシュメッセージに、あるアプリケーションプログラムの更新情報が含まれている場合、直接該情報をクリックすれば、対応するプログラムにジャンプして更新を行うことができ、ひいてはユーザの利便性を向上させている。
実施例５
【００６１】
図６に示すように、本発明が提供するプッシュメッセージを表示する方法は、上記の実施例を基に、プッシュメッセージの表示が更に合理化なるように、新しい内容をロードする時間を判断し、予め設定した時間に合致した場合のみ、プッシュメッセージを表示するステップを加えた。
【００６２】
ステップＳ６１において、新しい内容をロードするためのトリガーイベントを取得する。
【００６３】
ステップＳ６２において、前記新しい内容をロードする現在の表示ページに、空白のロード領域があるか否かを検出し、そうである場合、ステップＳ６３を実行し、そうではない場合、終了する。
【００６４】
ステップＳ６３において、新しい内容をロードする時間を計算する。
【００６５】
ここで、ネットワーク状況、新しい内容の大きさに基づいて新しい内容のロード時間を計算することができる。
【００６６】
ステップＳ６４において、前記時間が予め設定した値の以上であるか否かを判断し、そうである場合、ステップＳ６５を実行し、そうではない場合、終了する。
【００６７】
ステップＳ６５において、プッシュメッセージを空白のロード領域に表示する。
【００６８】
図７に示すように、本発明が提供するプッシュメッセージを表示する装置であって、
新しい内容をロードするためのトリガーイベントを取得するトリガーイベント取得モジュール７０１と、
前記トリガーイベント取得モジュールが前記トリガーイベントを取得した後、前記新しい内容をロードする現在の表示ページに、空白のロード領域があるか否かを検出する検出モジュール７０２と、
現在の表示ページに空白のロード領域がある場合、プッシュメッセージを空白のロード領域に表示する処理モジュール７０３とを含む。
【００６９】
例えば、前記処理モジュール７０３は、リアルタイム又は定時的に受信したサーバから送信されてくるプッシュメッセージを前記プッシュメッセージとし、又は、ローカル端末に予め記憶しておいたプッシュメッセージを前記プッシュメッセージとする。
【００７０】
更に、前記処理モジュール７０３は、サーバから送信されてくるプッシュメッセージにユーザが予約購読した情報があるか否かを判断し、予約購読した情報がある場合、プッシュメッセージにおけるユーザが予約購読した情報を、空白のロード領域に表示するプッシュメッセージとする。
【００７１】
例えば、更に、前記処理モジュール７０３は、現在の表示ページに空白のロード領域がある場合、サーバにプッシュメッセージを取得する要求を送信し、サーバから送信される前記プッシュメッセージを受信する。
【００７２】
例えば、更に、前記処理モジュール７０３は、プッシュメッセージを前記空白のロード領域に表示するとき、空白のロード領域に前記プッシュメッセージのリンクを確立する。
【００７３】
更に、前記処理モジュール７０３は、前記リンクがトリガーされたと検出した場合、前記リンクに対応するアプリケーションプログラム又はページへジャンプする。
【００７４】
例えば、更に前記処理モジュール７０３は、新しい内容をロードする時間を計算し、前記時間が予め設定した値の以上である場合に、プッシュメッセージを前記空白のロード領域に表示する操作を実行する。
【００７５】
当業者は、本発明の実施例が、方法、システム又はコンピュータプログラム商品として提供されることができることを理解すべきである。従って、本発明は完全なハードウェア実施例、完全なソフトウェア実施例、又はソフトウェアとハードウェアを組み合わせた実施例の形式を採用することができる。また、本発明はコンピュータプログラムのソースコードを含む一つ又は複数のコンピュータ用記憶媒体（磁気ディスクメモリ及び光学メモリが含まれるが、これに限定されない）において実施されるコンピュータプログラム商品の形式を採用することができる。
【００７６】
本発明は、本発明の実施例の方法、デバイス（システム）及びコンピュータプログラム商品に基づいたフローチャート及び／又はブロック図を参考に説明を行った。コンピュータプログラムコマンドによりフローチャート及び／又はブロック図における各フロー及び／又はブロック、及びフローチャート及び／又はブロック図におけるフロー及び／又はブロックの組み合わせを実現することができることを理解すべきである。汎用コンピュータ、専用コンピュータ、組み込みプロセッサ又はプログラム可能なデータ処理設備のプロセッサにこれらのコンピュータプログラムコマンドを提供することにより機械を生み出し、コンピュータ又はその他プログラム可能なデータ処理設備のプロセッサが実行するコマンドを通じて、フローチャートの一つのフロー又は複数のフロー、及び／又はブロック図の一つのブロック又は複数のブロックにおいて指定された機能に使われる装置を生み出す。
【００７７】
これらのコンピュータプログラムコマンドは、コンピュータ又はその他のプログラム可能なデータ処理設備が特定の方式で作業するように導くことができる、コンピュータ読み取り可能なメモリに記憶されることもでき、該コンピュータ読み取り可能なメモリに記憶されたコマンドが、コマンド装置を含む製造品を生み出し、該コマンド装置は、フローチャートにおける一つのフロー又は複数のフロー及び／又はブロック図における一つのブロック又は複数のブロックにおいて指定された機能を実現する。
【００７８】
これらのコンピュータプログラムコマンドは、コンピュータ又はその他プログラム可能なデータ処理設備にインストールすることもでき、コンピュータ又はその他プログラム可能なデータ処理設備において一連の操作を実行することでコンピュータが実現する処理が発生する。これにより、コンピュータ又はその他プログラム可能なデータ処理設備において実行されるコマンドは、フローチャートにおける一つのフロー又は複数のフロー、及び／又はブロック図における一つのブロック又は複数のブロックにおいて指定された機能を実現するためのステップを提供する。
【００７９】
当業者は本発明の精神と範囲を逸脱しないという前提で、各種の修正と変更を行うことができることは明らかである。このように、本発明のこれらの修正と変更が本発明の特許請求の範囲及び同等技術の範囲内に属する場合、本発明はこれらの修正と変形を含むことを意図する。
【図１】
0005947459.tif 000002
【図２】
0005947459.tif 000003
【図３】
0005947459.tif 000004
【図４】
0005947459.tif 000005
【図５】
0005947459.tif 000006
【図６】
0005947459.tif 000007
【図７】
0005947459.tif 000008